(57)【特許請求の範囲】
【請求項１】
ロータリトランスを介して回転ヘッドに供給されるデジタル信号を、磁気テープに記録する磁気記録装置に用いられる記録増幅回路において、
前記デジタル信号に基づいて前記ロータリトランスに所定の電流を供給するための、一対の素子を組合わせて構成される第１及び第２の増幅素子より成り、前記第１の増幅素子がオン動作すると前記第２の組の増幅素子がオフ動作するよう構成された増幅手段と、
前記デジタル信号の反転周期期間に基づいて低域強調信号を生成する低域強調手段と、
前記低域強調手段の出力結果に基づいて前記増幅手段に流れる電流値が予め設定された所定の目標値となるよう電流制御を行う制御手段とを有し、
前記制御手段は、前記低域強調手段の出力結果に基づいて前記増幅手段を流れる電流を制御する差動増幅手段と、前記差動増幅手段を流れる電流が常に一定となる定電流源とを備えたことを特徴とする記録増幅回路。
【発明の詳細な説明】
【０００１】
【産業上の利用分野】
本発明は、磁気記録装置において低周波数領域に遮断特性を持つロータリトランスの特性を有効に改善する記録増幅回路に関するものである。
【０００２】
【従来の技術】
図５は従来の記録増幅回路を示す図である。
【０００３】
従来回転ヘッドを用いて磁気テープ等に情報信号を高密度で記録する磁気記録装置がある。このような磁気記録装置は、情報信号を変調して得られた記録信号を増幅回路で所定レベルに増幅し、ロータリトランスを介して回転ヘッドに供給する。回転ヘッドは供給された記録信号を磁気テープ上に記録して行く。
【０００４】
このとき、上記したロータリトランスは低周波数領域において遮断特性を持つため、通常は記録信号の周波数帯域をこの遮断特性の影響を受けない領域に設定する。
【０００５】
ここで、様々なデータレートを有する情報信号を上記した磁気記録装置で記録するとき、低いデータレートを有する情報信号は低い周波数の記録信号に変調されるため、ロータリトランスの低周波数領域における遮断特性によって記録信号の低域成分が遮断されるという問題があった。
【０００６】
また、低いデータレートを有する情報信号を変調するものでなくとも、直流に至るまでの周波数成分を有する変調方式を用いて情報信号を記録する際は、同様の問題があった。
【０００７】
そこで、上記した問題を解決するため、ロータリトランスと記録信号を増幅する増幅回路の前に記録信号の低域補償用の積分手段を備えた磁気記録装置（特開平４−１１１２０２号公報）が提案されていた。
また、一方、図５に示すように、トランジスタを用いてかかる信号制御を行う記録増幅回路がある。この記録増幅回路は、トランジスタＱ１，  Ｑ２のいずれかがＯＮとなると他方がＯＦＦとなり、かつＯＮしたトランジスタにはトランジスタＱ３で決定される電流が流れる。
【０００８】
【発明が解決しようとする課題】
しかしながら、上記した磁気記録装置では、記録信号の低域成分を積分器２，  １１  で強調した後、これを直線性の良い記録増幅器４，  １４  で増幅してロータリトランスを駆動するので、記録すべき信号がデジタル信号であってもアナログ信号を記録するときと同等の性能が要求されるため、高速かつ直線性の良い増幅器が必要である。またこの場合、トランジスタ等のスイッチング動作を用いて信号制御を行うときより電力効率が悪いという問題がある。
即ち、高価で複雑かつ大電力の回路であるという問題がある。
【０００９】
また、上記した記録増幅回路は、トランジスタＱ１，  Ｑ２をスイッチング動作させているため、この前段に積分器を設けたとしても、ロータリトランスの低周波数遮断特性を補償することができなかった。
【００１０】
また、上記した記録増幅回路を用いてロータリトランスの低周波数遮断特性を補償するためには、積分器の出力に対し、ロータリトランスの低周波数遮断特性と時定数と同じ時定数で記録信号の電流を増加させる電流補正回路が必要となり、回路構成上繁雑となるという問題がある。
【００１１】
そこで、上記した問題を解決する記録増幅回路の出現が望まれていた。
【００１２】
【課題を解決するための手段】
よって、本発明は上記した課題を解決するため、以下の構成を提供するものである。
ロータリトランスを介して回転ヘッドに供給されるデジタル信号を、磁気テープに記録する磁気記録装置に用いられる記録増幅回路において、
前記デジタル信号に基づいて前記ロータリトランスに所定の電流を供給するための、一対の素子を組合わせて構成される第１及び第２の増幅素子より成り、前記第１の増幅素子がオン動作すると前記第２の組の増幅素子がオフ動作するよう構成された増幅手段と、
前記デジタル信号の反転周期期間に基づいて低域強調信号を生成する低域強調手段と、
前記低域強調手段の出力結果に基づいて前記増幅手段に流れる電流値が予め設定された所定の目標値となるよう電流制御を行う制御手段とを有し、
前記制御手段は、前記低域強調手段の出力結果に基づいて前記増幅手段を流れる電流を制御する差動増幅手段と、前記差動増幅手段を流れる電流が常に一定となる定電流源とを備えたことを特徴とする記録増幅回路。
【００１３】
【実施例】
図１は本記録増幅回路を説明するための回路図、図２は本記録増幅回路の動作を説明するための図、図３は積分回路の実施例を示す図、図４は低域強調手段を説明するための図である。
以下、図面を参照しつつ本発明なる記録増幅回路を説明する。
【００１４】
本発明なる記録増幅回路は、図１に示すように、ロータリトランス１を介して回転ヘッドに供給されるデジタル信号を、磁気テープに記録する磁気記録装置に用いられる記録増幅回路において、前記記録信号に基づいて前記ロータリトランス１に所定の電流を供給する増幅手段（パルストランス２，電源Ｖｃｃ  ，トランジスタＱ１〜Ｑ４）と、前記記録信号に基づいて低域強調信号を生成する前記ロータリトランスの低域周波数遮断特性と逆特性を有する低域強調手段（積分回路）３と、積分回路３の出力結果に基づいて前記増幅手段（２，  Ｖｃｃ，  Ｑ１〜Ｑ４）に流れる電流値が目標値となるよう電流制御を行う制御手段（トランジスタＱ５〜Ｑ７，電源Ｖｅｅ  ）とを備えたことを特徴とするよう構成した。
【００１５】
さて、本記録増幅回路には、デジタル化された情報信号を図示しない変調回路によって変調し得た記録信号が供給される（図１中の記録信号入力）。この記録信号は、図１に示すように、後述する増幅手段（２，  Ｖｃｃ，  Ｑ１〜Ｑ４）、インバータ４及び積分回路３に供給される。
ここで、この増幅手段は、パルストランス２，電源Ｖｃｃ  ，トランジスタＱ１〜Ｑ４とから概略構成されており、電源Ｖｃｃ  から供給される一定の電流によりパルストランス２の２次側に発生する電流をロータリトランス１に記録信号として供給するものである。
【００１６】
このとき、例えば、記録信号が“Ｈｉ”の信号であったとすると、トランジスタＱ１，  Ｑ３が夫々ＯＮの状態となる。また、インバータ４は、この“Ｈｉ”の信号を反転して“Ｌｏｗ”の信号をトランジスタＱ２，  Ｑ４に供給するので、トランジスタＱ２，  Ｑ４が夫々ＯＦＦの状態となる。
【００１７】
電源Ｖｃｃ  からは、パルストランス２を介して電流Ｉ１  ，Ｉ４  がトランジスタＱ１，  Ｑ４に夫々供給され、電流Ｉ２  ，Ｉ３  がトランジスタＱ２，  Ｑ３に夫々供給される。上記したようにトランジスタＱ１〜Ｑ４のスイッチングが切り換ると、ＯＦＦの状態になったトランジスタＱ２，  Ｑ４からは電流が流れず、トランジスタＱ１，  Ｑ３から電流が流れ、制御手段（Ｑ５〜Ｑ７，Ｖｅｅ  ）に供給される。
【００１８】
制御手段Ｑ５〜Ｑ７，Ｖｅｅ  は、トランジスタＱ１，  Ｑ３から流れる電流の量（Ｉ１  ＋Ｉ３  ）に等しい電流の量（Ｉ５  ＋Ｉ６  ）が供給されるトランジスタＱ５，  Ｑ６と、このトランジスタＱ５，  Ｑ６に流れる電流を常に所定量（Ｉ７  ）に保つトランジスタＱ７及び電源Ｖｅｅ  を備えている。
つまり、これら電流値に対して、  Ｉ１  ＋Ｉ３  ＝Ｉ５  ＋Ｉ６  ＝Ｉ７
の関係が成り立つ。
従って、このときパルストランス２の１次側には電流Ｉ１  が流れる。
【００１９】
ここで、このときパルストランス２の２次側に供給する電流は、上記したロータリトランス１の低域周波数遮断特性のため常時一定の電流が流れない。
このようにロータリトランス１に“Ｈｉ”の記録信号に応じた一定電流が流れないと、上記した回転ヘッドに電流が供給されなくなり、磁気テープ上に記録信号が記録されない。例えば、再生時、回転ヘッドがこうして記録された磁気テープ上を走査しても再生信号を得ることができない。即ち、このときの記録信号の情報が失われてしまう。
そこで、ロータリトランス１に常時一定の電流を供給するため、以下の動作を行う。
【００２０】
例えば、記録信号（図２中（Ａ）に図示）がロータリトランス１の低域周波数遮断特性と逆特性を有する積分回路３を介して上記した記録信号を制御手段Ｑ５〜Ｑ７，Ｖｅｅ  に供給される。この積分回路３は、例えば、図３に示す積分回路によって供給された記録信号をＲＣ積分し、図２中（Ｂ）に図示する信号を所定の目標値として得る。このときロータリトランス１と積分回路３との周波数に対する利得の関係は図４に示す如くとなっている。
【００２１】
積分回路３の出力は制御手段Ｑ５〜Ｑ７，Ｖｅｅ  のトランジスタＱ５に供給される。このとき、トランジスタＱ５，  Ｑ６は差動増幅器を構成し、上記した電流値の関係から、電流Ｉ５  が増加するに従って電流Ｉ６  が減少する。
即ち、電流Ｉ５  の増加に伴い電流Ｉ１  が増加し、電流Ｉ６  の減少に伴い電流Ｉ３  が減少する。
【００２２】
こうして、電流Ｉ１  の増加に伴い、パルストランス２に流れる電流が増加するため、このパルストランス２の２次側に構成されるロータリトランス１に供給される電流が増加する。また、積分回路３はロータリトランス１の低域周波数遮断特性に応じてトランジスタＱ５を流れる電流Ｉ５  を増加させることによって、電流Ｉ１  を増加させるため、ロータリトランス１が遮断する低域周波数に応じて記録信号を補償することができる。
【００２３】
ここで本記録増幅回路は、記録信号（“Ｈｉ”，“Ｌｏｗ”の信号）に応じて回転ヘッドに供給される記録電流Ｉ１  ，Ｉ２  を夫々高速で切り換える独立のスイッチ回路を有しているため、本来ロータリトランスの低域周波数遮断特性を補償するための補償回路を各々のスイッチ回路に設ける必要があったが、特に、上記した増幅手段２，  Ｖｃｃ，  Ｑ１〜Ｑ４から供給される電流Ｉ５  ，Ｉ６  を差動増幅器（トランジスタＱ５，  Ｑ６）を介して所定量Ｉ７  に保つよう構成したことによって、上記した補償回路（又は低域強調手段である積分回路３）が１つで済む。
即ち、簡易な構成による記録増幅回路を実現できる。
【００２４】
また、本記録増幅回路は上記の如く構成したことによって低域周波数遮断特性を補償した回転ヘッドに流れるヘッド交番電流（電流方向が異なる記録電流）の振幅を一定に保つことができるので、上記したロータリトランスの低域周波数遮断特性を有効に補償することができる。
【００２５】
尚、例えば、“Ｌｏｗ”の記録信号が本記録増幅回路に供給された場合であっても、同様に、
Ｉ２  ＋Ｉ４  ＝Ｉ５  ＋Ｉ６  ＝Ｉ７
の関係が成り立つので、上記したようにロータリトランス１が遮断する低域周波数に応じて記録信号を補償することができるのは勿論である。
【００２６】
尚、本記録増幅回路において、トランジスタのスイッチング動作を用いてロータリトランスの低域周波数遮断特性を補償した記録信号を得ているため、増幅手段を構成するパルストランス及びトランジスタを高速動作対応のものに取り替えるだけで更に記録増幅回路の高速動作を行うことができるのは勿論である。
【００２７】
従って、本記録増幅回路は、各種パルストランス及びトランジスタの中で特別な種類に限定されないことは勿論である。
【００２８】
尚、本実施例では説明の都合上、トランジスタの動作をＯＮ，ＯＦＦとして述べたが、例えば、一方のトランジスタをＯＮの状態にしたとき、他方のトランジスタは完全にＯＦＦの状態にしないで微弱な電流が流れるような状態であっても良いことは勿論である。
【００２９】
【発明の効果】
上述したように、請求項１記載の本発明の構成によれば、特に、低域強調手段の出力結果に基づいて増幅手段に流れる電流値が目標値となるよう電流制御を行う制御手段を有するので、高速かつ直線性の良い増幅手段を用いる必要がないため、コスト高、電力効率が悪いという従来の問題を解決すると共に、簡易な構成によりロータリトランスの低域周波数遮断特性を補償した記録信号を得ることができるという効果がある。
【００３０】
特に、制御手段は、低域強調手段の出力結果に基づいて増幅手段を流れる電流を制御する差動増幅手段を備えたことにより、差動増幅手段を流れる入力の一方に目標値となる信号を入力するだけでロータリトランスの低周波数遮断特性を補償することができるので、本記録増幅回路を構成するスイッチ回路に夫々流れる電流量を全て制御することなく、安価な構成によってロータリトランスの低周波数遮断特性を補償することができるという効果がある。
【００３１】
また、差動増幅手段を流れる電流が常に一定となる定電流源とを備えたことにより、低域強調手段の出力結果のみにより増幅手段を流れる電流を制御してロータリトランスの低域周波数遮断特性を補償した後、回転ヘッドを流れるヘッド交番電流の振幅を一定に保つことができるため、このロータリトランスの低周波数遮断特性を有効に補償することができるという効果がある。
【図面の簡単な説明】
【図１】本記録増幅回路を説明するための回路図である。
【図２】本記録増幅回路の動作を説明するための図である。
【図３】積分回路の実施例を示す図である。
【図４】低域強調手段を説明するための図である。
【図５】従来の記録増幅回路を示す図である。
【符号の説明】
１  ロータリトランス
２  パルストランス（増幅手段）
３  積分回路（低域強調手段）
Ｑ１，Ｑ２，Ｑ３，Ｑ４  トランジスタ（増幅手段）
Ｑ５，Ｑ６，Ｑ７  トランジスタ（制御手段）
Ｖｃｃ  電源（増幅手段）
Ｖｅｅ  電源（制御手段）
【図１】
0003550625.tif 000002
【図２】
0003550625.tif 000003
【図３】
0003550625.tif 000004
【図４】
0003550625.tif 000005
【図５】
0003550625.tif 000006